(57)【要約】【課題】記録手段内の画像の管理を容易にし、所望の画像の検索が容易にできる画像管理装置及び画像管理方法を提供する。【解決手段】ＤＳＣ１０は、メモリカード７０に蓄積された画像を管理する画像管理装置であって、ＣＰＵ２０を備える。ＣＰＵ２０は、メモリカード７０に蓄積された画像の全部の画像について各画像に関係する時間を特定するための時間情報をメモリカード７０から読出し、読み出した時間情報に対する画像数の分布に応じて、メモリカード７０に蓄積された画像の全部の画像についてグループ分けの方法を決定する。【選択図】図１
2007258883.tif 000002
【特許請求の範囲】
【請求項１】
記録手段に蓄積された画像を管理する画像管理装置において、
前記記録手段に蓄積された画像の一部又は全部の画像について各画像に関係する時間を特定するための時間情報を前記記録手段から読出し、前記読み出した時間情報に対する画像数の分布に応じて、前記記録手段に蓄積された画像の一部又は全部の画像についてグループ分けの方法を決定する制御手段を備える、画像管理装置。
【請求項２】
前記制御手段で決定した方法に従ってグループ分けされた画像をグループ毎に一覧表示する表示手段を備える請求項１に記載の画像管理装置。
【請求項３】
前記制御手段は、前記グループ分けの方法として、１グループで構成される期間を決定する、
請求項１に記載の画像管理装置。
【請求項４】
前記時間情報は、各画像の撮影日時を示す情報である、請求項１に記載の画像管理装置。
【請求項５】
前記時間情報は、ある時間から各画像の撮影日時までの経過時間である、請求項１に記載の画像管理装置。
【請求項６】
ある時間は、ある人物の誕生日である、請求項５に記載の画像管理装置。
【請求項７】
ある時間を設定可能な設定手段をさらに備える、請求項６に記載の画像管理装置。
【請求項８】
前記表示手段は、前記グループ分けされた画像の一覧表示とともに、前記制御手段で決定したグループ分けの方法を特定するための情報を表示する、請求項２に記載の画像管理装置。
【請求項９】
前記記録手段は、前記制御手段で決定したグループ分けに従ってグループ分けされた画像をグループ毎に異なるフォルダに格納する、請求項１に記載の画像管理装置。
【請求項１０】
前記フォルダの名称は、前記制御手段で決定したグループ分けの方法を特定するための情報である、請求項９に記載の画像管理装置。
【請求項１１】
記録手段に蓄積された画像を管理するための画像管理方法であって、
前記記録手段に蓄積された画像の一部又は全部の画像について各画像に関係する時間を特定するための時間情報を前記記録手段から読出し、
前記読み出した時間情報に対する画像数の分布に応じて、前記記録手段に蓄積された画像の一部又は全部の画像についてグループ分けの方法を決定する、
画像管理方法。
【発明の詳細な説明】
【技術分野】
【０００１】
本発明は、記録手段に蓄積された画像を管理し、所望の画像を検索するための画像管理装置及び画像管理方法に関する。
【背景技術】
【０００２】
一般に、デジタルスチルカメラ（以下、ＤＳＣという。）で撮影された画像は、規定の画像ファイル（たとえば、Ｅｘｉｆ等）に従った画像ファイルとして記録手段に記録される。通常、ＤＳＣには液晶表示画面が搭載されており、記録手段に記録された画像ファイルを再生表示することができる。複数の画像ファイルを表示する場合、縮小画像（サムネイル）による一覧表示が行われる（例えば、特許文献１参照）。
【特許文献１】特開２００４−２９５２３１号公報
【発明の開示】
【発明が解決しようとする課題】
【０００３】
しかしながら、近年における記録手段の大容量化に伴い、記録手段内の画像数が大量になってきており、単なるサムネイルの一覧表示では、希望する画像を探し出すことが困難になってきている。
【０００４】
本発明は、このような事情を鑑みてなされたものであり、記録手段内の画像の管理を容易にし、所望の画像の検索が容易にできる画像管理装置及び画像管理方法を提供することを目的とする。
【課題を解決するための手段】
【０００５】
以上の目的を達成するために本発明の画像管理装置は、記録手段に蓄積された画像を管理するものであり、制御手段を備える。制御手段は、記録手段に蓄積された画像の一部又は全部の画像について各画像に関係する時間を特定するための時間情報を記録手段から読出し、読み出した時間情報に対する画像数の分布に応じて、記録手段に蓄積された画像の一部又は全部の画像についてグループ分けの方法を決定する。
【０００６】
これにより、多すぎることのない画像数を１グループとするグループ分けがされるので、各グループ内の画像を検索しやすくなる。また、グループ内の画像数は少なすぎないよう設定できるので、グループの数が多くなり過ぎるということを防止できる。つまり、１グループ内の画像数を適切な数に設定できるため、記録手段内の画像を管理しやすくなる。そのため、記録手段内の所望の画像を検索しやすくなる。
【０００７】
この場合、制御手段で決定した方法に従ってグループ分けされた画像をグループ毎に一覧表示する表示手段を備えるようにしてもよい。これにより、ユーザーは、記録手段内の画像をグループ分けされた状態で視覚的に把握できるので、記録手段内の画像をより容易に管理し、または検索しやすくなる。
【０００８】
また、制御手段は、グループ分けの方法として、１グループで構成される期間を決定するようにしてもよい。これにより、一方方向に進行する時間というものを利用してグループ化したので、ユーザーは、画像がどのようにグループ化されているのか理解しやすい。そのため、ユーザーは、記録手段内の画像をより容易に管理し、または検索しやすくなる。
【０００９】
また、時間情報は、各画像の撮影日時を示す情報であるとしてもよい。撮影日時は、ユーザーにとって画像との対応をつけて記憶しやすい。そのため、撮影日時に基づいて画像のグループ化を行うと、ユーザーは、画像がどのようにグループ化されているのか理解しやすい。そのため、ユーザーは、記録手段内の画像をより容易に管理し、または検索しやすくなる。
【００１０】
一方で、時間情報は、ある時間から各画像の撮影日時までの経過時間であるとしてもよい。この場合、ある時間は、ある人物の誕生日であるとしてもよく、旅行の出発日としてもよい。また、本発明の画像管理装置は、ある時間を設定可能な設定手段をさらに備えるようにしてもよい。これにより、ユーザーは、記録手段内の各画像とあるイベントとの関係を把握しやすくなる。そのため、ユーザーは、画像の管理や検索をより容易にすることができる。
【００１１】
また、表示手段は、グループ分けされた画像の一覧表示とともに、制御手段で決定したグループ分けの方法を特定するための情報を表示するようにしてもよい。これにより、各画像がどのような単位でグループ分けをされているのかを容易に知ることができるため、各画像をより容易に管理し、または検索しやすくなる。
【００１２】
また、記録手段は、制御手段で決定したグループ分けに従ってグループ分けされた画像をグループ毎に異なるフォルダに格納するようにしてもよいこれにより、制御手段で決定したグループ分けに従って、記録手段内の画像が電子的にグループ化されるので、ユーザーは管理しやすくなる。この場合、フォルダの名称は、制御手段で決定したグループ分けの方法を特定するための情報であるとしてもよい。これにより、各フォルダが画像をどのようにグループ分けしたものなのかを視覚的に認識できるため、ユーザーは、記録手段内の画像をより容易に管理し、または検索しやすくなる。
【発明の効果】
【００１３】
本発明によれば、１グループ内の画像数を適切な数に設定できるため、記録手段内の画像を管理しやすくなる。そのため、ユーザーは、記録手段内の所望の画像を検索しやすくなる。
【発明を実施するための最良の形態】
【００１４】
（実施の形態１）
以下、添付図面に従って、本発明の好ましい実施の形態について詳説する。ここでは、本発明に係る画像表示装置をＤＳＣによって実現する例を述べる。
【００１５】
図１は、本発明の実施の形態１に係るＤＳＣ１０のハードウェアの構成例を示すブロック図である。
【００１６】
ＤＳＣ１０は、全体の動作を中央処理装置（ＣＰＵ）２０によって統括制御される。ＣＰＵ２０は操作部４０からの入力情報に基づき所定のプログラムに従って各ブロックを制御する。
【００１７】
バス８８を介してＣＰＵ２０と接続されたＲＯＭ５０には、このＣＰＵ２０が実行するプログラム及び制御に必要な各種データ等が格納されている。また、メモリ（ＳＤＲＡＭ）６０はＣＰＵ２０の演算作業用領域として利用されるとともに、画像データ等の一時記憶領域として利用される。
【００１８】
レンズ１２を通過した被写体光は、電子シャッタ機能を備える撮像素子（ＣＣＤ）１５で結像され、デジタル画像信号に変換ののち、ＳＤＲＡＭ６０に一時格納される。
【００１９】
ＳＤＲＡＭ６０に格納されたデジタル画像信号は、画像処理部３０で所定の信号処理が施され、輝度・色差信号に変換されたのち、ＳＤＲＡＭ６０に格納される。
【００２０】
この後、画像データ（輝度・色差信号）は所定の圧縮フォーマットに従って圧縮されたのち、再びＳＤＲＡＭ６０に格納される。なお、ここでは、ＪＰＥＧフォーマットに従って画像データを圧縮するものとする。
【００２１】
ＳＤＲＡＭ６０に格納された圧縮画像データは、所定の画像ファイルフォーマットに従った画像ファイルとして、メモリカード７０に記録される。なお、ここでは、Ｅｘｉｆ形式に従った画像ファイルとして、メモリカード７０に記録されるものとする。
【００２２】
メモリカード７０に記録された画像ファイルは、画像処理部３０で伸張処理により非圧縮の画像データ（輝度・色差信号）に変換され、表示部４１に再生表示される。
【００２３】
Ｅｘｉｆ形式の画像ファイルは、図２に示すように、ＤＳＣ付属情報を画像ファイルのヘッダ部にタグ形式で記録することができる。ＤＳＣ付属情報タグには、図３に示すように、バージョンに関する情報や画像データの特性に関する情報、構造に関する情報、ユーザ情報、関連ファイル情報、日時に関する情報、撮影条件に関する情報等の撮影した画像に関する撮影データがタグ形式で記録される。
【００２４】
ここで、日時に関する情報のタグには、原画像データの生成日時、つまり撮影日時の情報が書き込まれる。
【００２５】
本実施の形態のＤＳＣ１０では、図４に示すフローチャートに従い、画像の一覧表示が行われる。
【００２６】
まず、ＣＰＵ２０は、メモリカード７０に記録された全画像ファイルのＤＳＣ付属情報より撮影日時を抽出する（ステップＳ１０）。つまり、ＣＰＵ２０は、記録手段であるメモリカード７０に蓄積された画像の全部の画像について各画像に関係する時間を特定するための時間情報をメモリカード７０から読出すのである。
【００２７】
次に、ＣＰＵ２０は、抽出した撮影日時データから、撮影枚数の日時分布表を作成する（ステップＳ１１）。つまり、ＣＰＵ２０は、メモリカード７０から読み出した時間情報を解析して、その時間情報に対する画像数の分布を把握するのである。図５は月単位の日時分布表の例を示しているが、日単位や時間単位の日時分布表も同様である。
【００２８】
次に、ＣＰＵ２０は、期間ごとの一覧表示の表示単位を決定する（ステップＳ１２）。つまり、ＣＰＵ２０は、メモリカード７０から読み出した時間情報に対する画像数の分布に応じて、メモリカード７０に蓄積された画像の全部の画像についてグループ分けの方法を決定するのである。本実施例では、グループ分けの方法として、１グループで構成される期間を決定する例を示す。図６は表示単位（１グループの単位）の決定のためのフローチャート例を示している。
【００２９】
図６において、まず各月に対して、その月の撮影枚数が０枚であるかのチェックを行う（Ｓ１００）。０枚であれば、その月は表示なしとなる（Ｓ１０１）。０枚ではない場合は、次に１００枚以下であるかのチェックを行う（Ｓ１１０）。１００枚以下であれば、表示単位：１ヶ月となる（Ｓ１１１）。
【００３０】
１００枚を超える場合は、その月の各日に対して、その日の撮影枚数が０枚であるかのチェックを行う（Ｓ１２０）。０枚であれば、その日は表示なしとなる（Ｓ１２１）。０枚ではない場合は、次に５０枚以下であるかのチェックを行う（Ｓ１３０）。５０枚以下であれば、表示単位：１日となる（Ｓ１３１）。
【００３１】
５０枚を超える場合は、その日の各時間（１時台、２時台など）に対して、その時間の撮影枚数が０枚であるかのチェックを行う（Ｓ１４０）。０枚であれば、その時間は表示なしとなる（Ｓ１４１）。０枚ではない場合は、表示単位：１時間となる（Ｓ１５１）。
【００３２】
以上のフローチャートにより表示単位を決定したのち、表示部４１は一覧表示を行う（ステップＳ１３）。つまり、表示部４１は、ＣＰＵ２０で決定した方法に従ってグループ分けされた画像をグループ毎に一覧表示するのである。
【００３３】
図７（ａ）は表示単位：１ヶ月の場合の一覧表示の例である。図７（ｂ）は表示単位：１日の場合の一覧表示の例である。図７（ｃ）は表示単位：１時間の場合の一覧表示の例である。表示単位を画面の上部に表示し、その下に、縮小画像を一覧表示する。このように、表示部４１は、グループ分けされた画像の一覧表示とともに、ＣＰＵ２０で決定したグループ分けの方法を特定するための情報（ここでは「２００６年１月などの表示単位を意味する）を表示する。これにより、各画像がどのような単位でグループ分けをされているのかを容易に知ることができるため、各画像をより容易に管理し、または検索しやすくなる。また、図７（ａ）に示すように、１つのグループ内の画像が多いために、１画面で全てを表示できない場合には、複数の画面に分けて表示するようにしてもよい。図７（ａ）は、４画面に分けて表示する例を示しており、図７（ａ）は、特にそのうちの１番目の画面であることを示す。画面の右上に示す「１／４」という情報がこのことを示している。
【００３４】
以上のように、本発明の実施の形態１にかかるＤＳＣ１０は、メモリカード７０に蓄積された画像を管理する画像管理装置であって、ＣＰＵ２０を備える。ＣＰＵ２０は、メモリカード７０に蓄積された画像の全部の画像について各画像に関係する時間を特定するための時間情報をメモリカード７０から読出し、読み出した時間情報に対する画像数の分布に応じて、メモリカード７０に蓄積された画像の全部の画像についてグループ分けの方法を決定する。
【００３５】
これにより、多すぎることのない画像数を１グループとするグループ分けがされるので、各グループ内の画像を検索しやすくなる。また、グループ内の画像数は少なすぎないよう設定できるので、グループの数が多くなり過ぎるということを防止できる。つまり、１グループ内の画像数を適切な数に設定できるため、メモリカード７０内の画像を管理しやすくなる。そのため、メモリカード７０内の所望の画像を検索しやすくなる。
【００３６】
また、本発明の実施の形態１にかかるＤＳＣ１０は、ＣＰＵ２０で決定した方法に従ってグループ分けされた画像をグループ毎に一覧表示する表示部４１を備える。これにより、ユーザーは、メモリカード７０内の画像をグループ分けされた状態で視覚的に把握できるので、メモリカード７０内の画像をより容易に管理し、または検索しやすくなる。
【００３７】
また、本発明の実施の形態１にかかるＤＳＣ１０のＣＰＵ２０は、グループ分けの方法として、１グループで構成される期間を決定するようにした。例えば、撮影日時の分布を解析して、月単位のグループ化、日単位のグループ化、時間単位のグループ化のいずれかから選択して画像をグループ化するようにした。これにより、一方方向に進行する時間というものを利用してグループ化したので、ユーザーは、画像がどのようにグループ化されているのか理解しやすい。そのため、ユーザーは、メモリカード７０内の画像をより容易に管理し、または検索しやすくなる。
【００３８】
また、本発明の実施の形態１で示すように、時間情報は各画像の撮影日時を示す情報であるとしてもよい。撮影日時は、ユーザーにとって画像との対応をつけて記憶しやすい。そのため、撮影日時に基づいて画像のグループ化を行うと、ユーザーは、画像がどのようにグループ化されているのか理解しやすい。そのため、ユーザーは、メモリカード７０内の画像をより容易に管理し、または検索しやすくなる。
【００３９】
また、本発明の実施の形態１で示すように、表示部４１は、グループ分けされた画像の一覧表示とともに、ＣＰＵ２０で決定したグループ分けの方法を特定するための情報を表示するようにしてもよい。これにより、各画像がどのような単位でグループ分けをされているのかを容易に知ることができるため、各画像をより容易に管理し、または検索しやすくなる。
【００４０】
（実施の形態２）
本発明の実施の形態１では、ＣＰＵ２０で決定した方法に従ってグループ分けされた画像をグループ毎に一覧表示する例を示した。これに対して、本発明の実施の形態２では、ＣＰＵ２０で決定した方法に従ってグループ分けされた画像をグループ毎に、それぞれ異なるフォルダに格納することにより、メモリカード７０内での画像の整理を行う例を示す。これにより、ユーザーはメモリカード７０内の多数の画像を整理しやすくなり、各画像を検索しやすくなる。
【００４１】
本発明の実施の形態２にかかるＤＳＣ１０のハードウェア構成は、図１に示す本発明の実施の形態１にかかるＤＳＣ１０と同様である。本発明の実施の形態２では、ＣＰＵ２０は、グループ分けの方法を決定し、メモリカード７０内に、各グループ毎にフォルダを作成し、それぞれのフォルダに対応する画像を格納する。
【００４２】
本発明の実施の形態２にかかるＤＳＣ１０は、図８に示すフローチャートに従い、各画像をグループ毎に異なるフォルダに格納する。
【００４３】
まず、ＣＰＵ２０は、メモリカード７０に記録された全画像ファイルのＤＳＣ付属情報より撮影日時を抽出する（ステップＳ２０）。次に、ＣＰＵ２０は、抽出した撮影日時データから、撮影枚数の日時分布表を作成する（ステップＳ２１）。次に、ＣＰＵ２０は、期間ごとの一覧表示の表示単位を決定する（ステップＳ２２）。これらのステップは、本発明の実施の形態１にかかるＤＳＣ１０の動作と同様の動作を示すものであるため、詳細な説明を省略する。
【００４４】
次に、ＣＰＵ２０は、メモリカード７０内に各グループ毎にフォルダを作成する（ステップＳ２３）。これらのフォルダの名称は、各グループを示す表記であることが望ましい。例えば、「Ｊａｎ−２００６」、「Ｊａｎ−１０−２００６」、「ＡＭ１０−Ｊａｎ−１５−２００６」などである。
【００４５】
次に、ＣＰＵ２０は、メモリカード７０内に格納されている画像を作成したフォルダ内に格納する（ステップＳ２４）。図９は、メモリカード７０内におけるディレクトリ構造を示す模式図である。図９において、「ｒｏｏｔ」ディレクトリに「ＤＣＩＭ」ディレクトリが形成され、その下に、「１００＿ＰＡＮＡ」ディレクトリが形成される。そして、ＣＰＵ２０は、「１００＿ＰＡＮＡ」ディレクトリの下に各グループのフォルダを作成する。図９では、ＣＰＵ２０は、「Ｊａｎ−２００６」、「Ｊａｎ−１０−２００６」、「ＡＭ１０−Ｊａｎ−１５−２００６」のフォルダを作成している。その後、ＣＰＵ２０は各フォルダ内に対応する画像を格納する。図９において、「Ｊａｎ−２００６」フォルダには「Ｐ１０００００１．ＪＰＧ」〜「Ｐ１０００００６０．ＪＰＧ」を格納し、「Ｊａｎ−１０−２００６」フォルダには「Ｐ１００００６１．ＪＰＧ」〜「Ｐ１０００００７０．ＪＰＧ」を格納し、「ＡＭ１０−Ｊａｎ−１５−２００６」フォルダには「Ｐ１００００７１．ＪＰＧ」〜「Ｐ１０００００７７．ＪＰＧ」を格納している。
【００４６】
以上のように、本発明の実施の形態２にかかるＤＳＣ１０のメモリカード７０は、ＣＰＵ２０で決定したグループ分けに従ってグループ分けされた画像をグループ毎に異なるフォルダに格納する。これにより、ＣＰＵ２０で決定したグループ分けに従って、メモリカード７０内の画像が電子的にグループ化されるので、ユーザーは管理しやすくなる。
【００４７】
また、本発明の実施の形態２に示すように、フォルダの名称は、ＣＰＵ２０で決定したグループ分けの方法を特定するための情報であるとしてもよい。このようにすることにより、各フォルダが画像をどのようにグループ分けしたものなのかを視覚的に認識できるため、ユーザーは、メモリカード７０内の画像をより容易に管理し、または検索しやすくなる。
【００４８】
（実施の形態３）
本発明の実施の形態として、実施の形態１及び実施の形態２を以上に示した。しかし、本発明はこれには限らず、他の実施例にも適用可能である。本実施の形態３では、他の実施例をまとめて説明する。
【００４９】
本発明の実施の形態１及び２では、グループ化の単位の選択方法として、１ヶ月、１日、１時間の３段階の場合を説明したが、これには限らない。例えば、さらに１年単位を加えて４段階でグループ化の単位を選択するようにしてもよい。グループ化の単位もこれらには限定されず、１年や１５分、１分などでも構わない。この段階数やグループ化の単位は、あらかじめ固定しておいてもよく、ユーザーが任意に設定できるようにしてもよい。ユーザーが任意に設定できるようにすれば、ユーザーの使用状況や好みなどに合わせて画像のグループ化をすることができるので、画像の管理や検索をより容易にすることができる。
【００５０】
また、本発明の実施の形態１及び２では、グループ化の単位の切り替えの閾値枚数を１００枚や５０枚としたが、これには限らない。１０００枚や１０枚でも構わない。また、閾値枚数は、あらかじめ固定しておいてもよく、ユーザが任意に設定できるようにしてもよい。ユーザーが任意に設定できるようにすれば、ユーザーの使用状況や好みなどに合わせて画像のグループ化をすることができるので、画像の管理や検索をより容易にすることができる。
【００５１】
また、本発明の実施の形態１及び２では、各画像の撮影日時を示す情報を解析して、その分布を把握し、グループ化を行ったが、これには限らない。例えば、メモリカード７０に記録した日時を示す情報を解析するようにしてもよい。このような実施例は、メモリカード７０に外部から多数の画像をダウンロードする場合などに特に有効である。
【００５２】
また、本発明の実施の形態１及び２では、画像の撮影日時を総称する表示（例えば、「２００６年１月」など）によって各グループを示す表示としたがこれには限らない。例えば、ある特定の日から画像の撮影日時までの期間を総称する表示によって、各グループを示す表示としてもよい。また、ある特定の日をある人物の誕生日とすることにより、撮影日時までの期間を総称する表示をある人物の年齢又は月齢等を示す表示とすることができる。従って、画像をある人物の年齢ごとにグループ化できることとなる。この場合、各グループの表示例としては、「生後１日目」「生後２月」「３歳のときです」などとすることができる。また、ある特定の日を旅行の出発日とすることもできる。これにより、撮影日時までの期間を総称する表示を旅行の期間とすることができる。この場合、各グループの表示例としては、「旅行１日目です」「出発から１月経ちました」などとすることができる。これらの場合に、上記のある特定の日（誕生日や旅行の出発日）を設定するための操作部材をＤＳＣ１０に設けるのが好ましい。これにより、ユーザーは、グループ分けの期間の始期を自由に設定でき、メモリカード７０内の各画像とあるイベント（ある人物の誕生、旅行への出発等）との関係を把握しやすくなる。そのため、ユーザーは、画像の管理や検索をより容易にすることができる。また、この操作部材によって設定された特定の日は、図３に示すメーカーノートに記録するのが好ましい。なお、ある特定の日を設定するための操作部材は、図１に示す操作部４０を構成する操作部材の一部として構成できる。また、この操作部材及びＣＰＵ２０からなる構成は、本発明の設定手段の一例である。
【００５３】
また、本発明の実施の形態１及び２では、本発明の画像管理装置として、デジタルスチルカメラ（ＤＳＣ）を例示したが、これには限らず、画像を蓄積して管理する装置であれば、本発明は適用できる。例えば、ムービーやカメラ機能付き携帯電話端末などの撮像装置に適用できる。また、ＤＶＤレコーダー、半導体メモリを利用した映像レコーダー等の映像記録再生装置等にも適用できる。
【００５４】
また、本発明の実施の形態１及び２では、記録手段に蓄積された画像の全部の画像についてグループ化を行うようにしたが、これには限らない。例えば、記録手段に蓄積された画像の一部の画像についてのみグループ化をするようにしてもよい。この場合、グループ化の方法を決定する際に、グループ化の対象となる画像の時間情報のみを利用してもよいし、グループ化の対象とはならない画像の時間情報を含めてもよい。
【００５５】
また、本発明の実施の形態１及び２では、画像についてのグループ分けの方法として、１グループで構成される期間を例示したが、これには限らない。例えば、曜日でグループ分けをしてもよい。詳細には、撮影日時の分布を解析して、「ウィークデー」のグループと「土曜日」のグループと「日曜日」のグループとからなるグループ分けを行うこともできるし、分布によっては、「月曜日と火曜日」「水曜日」「木曜日〜日曜日」とグループ分けすることもできる。これらのグループ分けは、曜日によって画像管理装置の使用頻度や使用目的等が異なる場合に特に有効である。
【００５６】
また、本発明の実施の形態１及び２における表示部４１は、画像を表示できるものであれば特に限定しない。例えば、液晶ディスプレイであってもよいし、プラズマディスプレイやブラウン管、有機ＥＬディスプレイであってもよい。また、表示部４１は、ＣＰＵ２０と同一の筐体内に設けられていてもよいし、別の筐体内に設けられていてもよい。
【００５７】
また、本発明の実施の形態１及び２では、本発明の記録手段として、ＤＳＣ１０に着脱可能なメモリカード７０を例示したが、これには限らない。例えば、画像管理装置に内蔵されるフラッシュメモリや強誘電体メモリ等で構成してもよい。また、画像管理装置に内蔵されるまたは着脱可能なハードディスク装置で構成してもよい。また、画像管理装置に装着可能な光ディスクで構成してもよい。要するに、画像を記録するものであればよい。
【産業上の利用可能性】
【００５８】
本発明は、画像を蓄積して管理する画像管理装置に適用可能である。例えば、デジタルスチルカメラ、ムービーやカメラ機能付き携帯電話端末などの撮像装置に適用できる。また、ＤＶＤレコーダー、半導体メモリを利用した映像レコーダー等の映像記録再生装置等にも適用できる。
【図面の簡単な説明】
【００５９】
【図１】本発明の実施の形態１及び２にかかるＤＳＣのハードウェア構成を示すブロック図
【図２】Ｅｘｉｆ形式の画像ファイルの構成を示す模式図
【図３】Ｅｘｉｆ形式の画像ファイルに書き込まれる付属情報の一覧を示す模式図
【図４】メモリカードに記録された画像を一覧表示する際の手順を説明するためのフローチャート
【図５】撮影枚数の日時分布表を示す図
【図６】グループ化の単位を決定する際の手順を説明するためのフローチャート
【図７】表示部に一覧表示した際の表示例を示す図
【図８】メモリカードに記録された画像を異なるフォルダに格納する際の手順を説明するためのフローチャート
【図９】メモリカード内のディレクトリ構造を示す模式図
【符号の説明】
【００６０】
１０    デジタルスチルカメラ（ＤＳＣ）
１２    レンズ
１５    撮像素子（ＣＣＤ）
２０    中央処理装置（ＣＰＵ）
３０    画像処理部
４０    操作部
４１    表示部
５０    ＲＯＭ
６０    メモリ（ＳＤＲＡＭ）
７０    メモリカード
８８    バス
【図１】
2007258883.tif 000003
【図２】
2007258883.tif 000004
【図３】
2007258883.tif 000005
【図４】
2007258883.tif 000006
【図５】
2007258883.tif 000007
【図６】
2007258883.tif 000008
【図７】
2007258883.tif 000009
【図８】
2007258883.tif 000010
【図９】
2007258883.tif 000011